(57)【要約】【課題】  選択エピタキシャル成長の成長速度とエッチング速度の両方を調整することが可能であり、ノズルからのパーティクル発生を回避でき、良好なエッチング特性を得ることができる基板処理装置を提供する。【解決手段】  シリコンを含む原料ガスとエッチングガスとを交互に繰り返して処理室２４内に供給して基板の表面に選択的にエピタキシャル膜を成長させる基板処理装置１０であって、処理室２４内で基板を支持する基板支持部材１６と、基板及び処理室２４内の雰囲気を加熱し、処理室２４の外部に設けられる加熱部材２２と、処理室２４内に配置されるガス供給手段と、処理室２４に開口する排気口２７と、を備え、ガス供給手段は、原料ガスを供給する第１のガス供給ノズル４２ａ、４２ｂ、４２ｃと、エッチングガスを供給する第２のガス供給ノズル４４ａ、４４ｂ、４４ｃと、を含む基板処理装置１０とする。【選択図】          図２
2008124181.tif 000002
【特許請求の範囲】
【請求項１】
シリコンを含む原料ガスとエッチングガスとを少なくとも使用し、前記原料ガスと前記エッチングガスとを交互に繰り返して処理室内に供給して前記処理室内に収容された基板の表面に選択的にエピタキシャル膜を成長させる基板処理装置であって、
前記処理室内で前記基板を支持する基板支持部材と、
前記基板及び前記処理室内の雰囲気を加熱し、前記処理室の外部に設けられる加熱部材と、
前記処理室内に配置されるガス供給手段と、
前記処理室に開口する排気口と、
を備え、
前記ガス供給手段は、
前記原料ガスを供給する第１のガス供給ノズルと、前記エッチングガスを供給する前記第１のガス供給ノズルとは別の第２のガス供給ノズルと、を含むことを特徴とする基板処理装置。
【発明の詳細な説明】
【技術分野】
【０００１】
本発明は、半導体製造装置に用いる基板処理装置に関するものである。
【背景技術】
【０００２】
従来のＳｉ又はＳｉＧｅの選択エピタキシャル成長に用いられる縦型減圧ＣＶＤ装置の反応炉（処理炉）は、反応管とインレットフランジ、シールキャップ等により構成され、シールキャップ上にボートが載せられ、そのボートにウェハが配置され、反応炉内がヒータにより加熱される。
この構成において、ＳｉまたはＳｉＧｅの選択エピタキシャル成長の原料となるガスは、ノズルを通じて反応炉内上部から導入され、下部より排気される。よってウェハの存在する反応雰囲気でのガスの流れは上から下となる。
このとき、反応炉を加熱するヒータは上部ヒータ、中央上部ヒータ、中央ヒータ、中央下部ヒータ及び下部ヒータの５つの領域に分割されており、５つに分割されたヒータに、上部から下部になるにつれて温度が高くなるように温度勾配（温度傾斜）を持たせており、これにより、反応ガスの消費によって排気側（反応炉内下部）ほど成長速度が低下するのを補正している。
【発明の開示】
【発明が解決しようとする課題】
【０００３】
Ｓｉ又はＳｉＧｅの選択エピタキシャル成長では、原料ガスとエッチングガスとを交互に供給する手法を用いる。この原料ガスとエッチングガスを交互供給する手法の場合、原料ガスの供給とエッチングガスの供給は同じ温度下で行うこととなるため、ヒータによる温度勾配では成長速度とエッチング速度のどちらか一方しか調整することができない。すなわち、成長速度を調整するように温度勾配を設定した場合、エッチング速度はその設定に従って決定され、エッチング速度を調整するように温度勾配を設定した場合、成長速度はその設定に従って決定される。
また、原料ガスとエッチングガスを同じノズルから供給した場合、原料ガスの自己分解によりノズル内に膜が付き、そこにエッチングガスを流すと、パーティクル発生やエッチングガスの消費が生じてしまっていた。
【０００４】
本発明は、このような問題点を解決しようとしてなされたものであり、成長速度とエッチング速度の両方を調整することを可能とし、パーティクル発生を抑制する基板処理装置を提供することを目的とする。
【課題を解決するための手段】
【０００５】
上記課題を解決するため、本発明の特徴とするところは、シリコンを含む原料ガスとエッチングガスとを少なくとも使用し、前記原料ガスと前記エッチングガスとを交互に繰り返して処理室内に供給して前記処理室内に収容された基板の表面に選択的にエピタキシャル膜を成長させる基板処理装置であって、前記処理室内で前記基板を支持する基板支持部材と、前記基板及び前記処理室内の雰囲気を加熱し、前記処理室の外部に設けられる加熱部材と、前記処理室内に配置されるガス供給手段と、前記処理室に開口する排気口と、を備え、前記ガス供給手段は、前記原料ガスを供給する第１のガス供給ノズルと、前記エッチングガスを供給する前記第１のガス供給ノズルとは別の第２のガス供給ノズルと、を含む基板処理装置にある。
【発明の効果】
【０００６】
本発明によれば、成長速度とエッチング速度の両方を調整することが可能となり、パーティクル発生を回避でき、良好なエッチング特性を得ることが可能となる。
【発明を実施するための最良の形態】
【０００７】
次に本発明の一実施形態を図面に基づいて説明する。
図１において、本発明の一実施形態にかかる基板処理装置１０の概要を示す。基板処理装置１０はいわゆるホットウォール式縦型減圧ＣＶＤ装置である。
図１に示すように、ウェハカセット１２により搬入されたウェハ（Ｓｉ基板）ａは、移載機１４によりウェハカセット１２からボート１６へ移載される。全てのウェハａの移載が完了すると、ボート１６は処理炉１８内へ挿入され、処理炉１８内は真空排気系２０により減圧される。そしてヒータ２２により処理炉１８内を所望の温度に加熱し、温度が安定したところでガス供給系２１から原料ガスとエッチングガスを交互に供給し、ウェハａ上にＳｉ又はＳｉＧｅ等を選択エピタキシャル成長させる。なお、２３は制御系であり、ボート１６の処理炉１８内への挿入及び回転、真空排気系２０での排気、ガス供給系２１からのガスの供給及びヒータ２２による加熱等を制御する。
【０００８】
Ｓｉ又はＳｉＧｅの選択エピタキシャル成長の原料ガスとしては、ＳｉＨ４やＳｉ２Ｈ６、ＳｉＨ２Ｃｌ２等のＳｉ含有ガスが用いられ、ＳｉＧｅの場合にはさらにＧｅＨ４やＧｅＣｌ４等のＧｅ含有ガスが加えられる。ＣＶＤ反応において原料ガスが導入されるとＳｉ上では直ちに成長が開始されるのに対してＳｉＯ２やＳｉＮ上では潜伏期間と呼ばれる成長の遅れが生じる。この潜伏期間の間、Ｓｉ上のみにＳｉまたはＳｉＧｅを成長させるのが選択成長である。この選択成長中にはＳｉＯ２やＳｉＮ上にＳｉ核の吸着が発生しており、選択性が損なわれることになる。そこで、原料ガスの供給後に、エッチングガスを供給してＳｉＯ２やＳｉＮ上に吸着したＳｉ核の除去を行う。これを繰り返すことで選択エピタキシャル成長を行う。
【０００９】
次に、本発明の一実施形態にかかる基板処理装置１０に用いる処理炉１８のボート１６の挿入後の構成の詳細を、図面に基づいて説明する。
図２は本発明の一実施形態に係るボート１６挿入後の処理炉１８の概略構成図であり、縦断面図として示される。
図２に示すように、処理炉１８には、処理室２４を形成する、例えばアウターチューブよりなる反応管２６と、反応管２６の下部に配置され、排気口２７から排気するガス排気管２８と処理室２４内に原料ガス等を供給する第１のガス供給管３０とエッチングガス等を供給する第２のガス供給管３２とが設けられ、反応管２６とＯリング３３ａを介して接続されたマニホールド３４と、マニホールド３４の下端部を閉塞し、処理室２４をＯリング３３ｂ及び３３ｃを介して密閉するシールキャップ３６と、ウェハ（Ｓｉ基板）ａを多段に保持（支持）するウェハ保持体（基板支持部材）としてのボート１６と、ボート１６を所定の回転数で回転させる回転機構３８と、反応管２６の外側に、図示しないヒータ素線と断熱部材よりなりウェハａを加熱するヒータ（加熱部材）２２と、を備えている。
【００１０】
反応管２６は、例えば石英（ＳｉＯ２）又は炭化シリコン（ＳｉＣ）などの耐熱性材料からなり、上端が閉塞し、下端が開口した円筒形状に形成されている。マニホールド３４は、例えばステンレス等からなり、上端及び下端が開口した円筒形状に形成されており、上端がＯリング３３ａを介して反応管２６と係合されており、第１のガス供給管３０及び第２のガス供給管３２がマニホールド３４を貫通した状態で取り付けられている。シールキャップ３６は、例えばステンレス等からなり、リング状部３５と円盤状部３７より形成され、マニホールド３４の下端部をＯリング３３ｂ及び３３ｃを介して閉塞している。また、ボート１６は、例えば石英や炭化シリコン等の耐熱性材料からなり、複数枚のウェハａを水平姿勢で且つ中心を揃えた状態で整列させて多段に保持するように構成されている。ボート１６の回転機構３８は、回転軸３９がシールキャップ３６を貫通してボート１６に接続されており、ボート１６を回転させることでウェハａを回転させるように構成されている。
また、ヒータ２２は、上部ヒータ２２Ａ、中央上部ヒータ２２Ｂ、中央ヒータ２２Ｃ、中央下部ヒータ２２Ｄ及び下部ヒータ２２Ｅの５つの領域に分割されており、それらは、それぞれ円筒形状を有している。
【００１１】
そして、本発明の一実施形態に係る処理炉１８内においては、ガス供給手段として、第１のガス供給管３０から分岐された、高さの異なる第１のガス供給口４０ａ、４０ｂ、４０ｃを有する３本の第１のガス供給ノズル４２ａ、４２ｂ、４２ｃが配設されており、また、第１のガス供給ノズル４２ａ、４２ｂ、４２ｃとは別に、第２のガス供給管３２から分岐された、高さの異なる第２のガス供給口４３ａ、４３ｂ、４３ｃを有する３本の第２のガス供給ノズル４４ａ、４４ｂ、４４ｃが配設されている。
【００１２】
この処理炉１８の構成において、処理ガスは、例えば、原料ガス（例えばＳｉＨ４ガス）を供給する原料ガス供給源４６、パージガス（例えばＨ２ガス）を供給するパージガス供給源４８、エッチングガス（例えばＣｌ２ガス）を供給するエッチングガス供給源５０から供給される。成膜工程時には、原料ガス供給源４６からの原料ガスのガス流量制御手段としての第１のＭＦＣ（マスフローコントローラ）５２及びパージガス供給源４８からのパージガスのガス流量制御手段としての第２のＭＦＣ５４で流量が調節された後、原料ガスとパージガスが、それぞれ第１のガス供給管３０及び第２のガス供給管３２を通じて処理室２４内に導かれる。そして、原料ガスが、第１のガス供給管３０より分岐された第１のガス供給ノズル４２ａ、４２ｂ、４２ｃよりボート１６の上部、中央部、下部の３箇所に供給され、パージガスが、第２のガス供給管３２より分岐された第２のガス供給ノズル４４ａ、４４ｂ、４４ｃよりボート１６の上部、中央部、下部の３箇所に供給される。
【００１３】
またエッチング工程時には、パージガス供給源４８からのパージガスのガス流量制御手段としての第３のＭＦＣ５６及びエッチングガス供給源５０からのエッチングガスのガス流量制御手段としての第４のＭＦＣ５８で流量が調節された後、パージガスとエッチングガスが、それぞれ第１のガス供給管３０及び第２のガス供給管３２を通じて処理室２４内に導かれる。そして、パージガスが、第１のガス供給管３０より分岐された第１のガス供給ノズル４２ａ、４２ｂ、４２ｃよりボート１６の上部、中央部、下部の３箇所に供給され、エッチングガスが、第２のガス供給管３２より分岐された第２のガス供給ノズル４４ａ、４４ｂ、４４ｃよりボート１６の上部、中央部、下部の３箇所に供給される。
また処理室２４内の雰囲気は、ガス排気管２８に接続された排気手段（例えば真空ポンプ５９）により処理室２４から排気される。
【００１４】
次に本発明の一実施形態に係る基板処理装置１０によるウェハ処理の一例を説明する。
図２に示すように、未処理のウェハａを保持したボート１６は、昇降モータ（図示省略）を駆動することにより、処理室２４内に挿入される。次に制御装置６０からの命令により排気バルブ６２を開けて、処理室２４内の雰囲気を排気し、処理室２４内を減圧する。そして、制御装置６０によりヒータ２２を制御し、処理室２４内の温度、ひいてはウェハａの温度を所望の温度に維持する。その後制御装置６０からの命令により回転機構３８が駆動され、ボート１６を所定の回転数で回転させる。
【００１５】
そして制御装置６０からの命令で、第１のＭＦＣ５２、第２のＭＦＣ５４の開度が調節された後、原料ガス供給源４６からの原料ガスを供給するため開閉する第１のバルブ６４及びパージガス供給源４８からパージガスを供給するための第２のバルブ６６を開く。そして第３のバルブ６８を開き原料ガスが第１のガス供給管３０及び第１のガス供給ノズル４２ａ、４２ｂ、４２ｃを通じて処理室２４に導入され、ウェハａを処理する。それと同時に、第６のバルブ７４を開き、パージガスが第２のガス供給管３２及び第２のガス供給ノズル４４ａ、４４ｂ、４４ｃを通じて処理室２４に導入される。
【００１６】
次に、制御装置６０からの命令で第３のＭＦＣ５６、第４のＭＦＣ５８の開度が調節された後、エッチングガス供給源５０からのエッチングガスを供給するため開閉する第４のバルブ７０及びパージガス供給源４８からパージガスを供給するための第５のバルブ７２を開く。そして、第６のバルブ７４を開き、エッチングガスが第２のガス供給管３２及び第２のガス供給ノズル４４ａ、４４ｂ、４４ｃを通じて処理室２４に導入され、ウェハａを処理する。それと同時に、第３のバルブ６８を開き、パージガスが第１のガス供給管３０及び第１のガス供給ノズル４２ａ、４２ｂ、４２ｃを通じて処理室２４に導入される。
【００１７】
上記のように、本発明の一実施形態における基板処理装置１０においては、原料ガスを処理室２４内に供給する第１のガス供給管３０及び第１のガス供給ノズル４２ａ、４２ｂ、４２ｃと、エッチングガスを処理室２４内に供給する第２のガス供給管３２及び第２のガス供給ノズル４４ａ、４４ｂ、４４ｃと、を分離している。したがって、従来の温度勾配を設ける場合では、成長速度とエッチング速度のどちらか一方しか調整することができなかったが、本発明の一実施形態における基板処理装置１０では原料ガス及びエッチングガスがそれぞれ別の複数本のノズルから供給されるため、その供給量を調節することで成長速度とエッチング速度の両方の調整が可能となる。
【００１８】
また、同じノズルから原料ガスとエッチングガスを供給した場合、原料ガスの自己分解によりノズル内に膜がつき、そこにエッチングガスを流すと、パーティクルやエッチングガスの消費が生じていた。それに対し、本発明の一実施形態における基板処理装置１０においては、原料ガスとエッチングガスをそれぞれ別の複数本のノズルから供給しているため、ノズルからのパーティクル発生を回避することができる。またエッチングガスを供給する第２のガス供給ノズル４４ａ、４４ｂ、４４ｃの内壁に膜が付着しないため、第２のガス供給ノズル４４ａ、４４ｂ、４４ｃ内でエッチングガスが消費されることがなく、より良好なエッチング特性を得ることができ、ウェハａに対して第１のガス供給ノズル４２ａ、４２ｂ、４２ｃ及び第２のガス供給ノズル４４ａ、４４ｂ、４４ｃの内壁状態によらずに安定したエッチングレートを確保することができる。
【００１９】
さらに、本発明の一実施形態における基板処理装置１０においては、各ガスごとに高さの異なる複数本のノズルを設けてそこからガスを供給しているため、反応ガスの消費によって排気側（処理炉１８内下部）ほど成長速度が低下するのを、処理炉１８の上部と下部の間におけるガスの途中供給によって調整することができ、これにより処理温度上限に近い温度での成長速度を基準とすることができ、温度勾配を設ける場合よりも成長速度を大きくすることができる。
【００２０】
なお、上記のように成膜（原料ガス供給）中、エッチングガス用の第２のガス供給ノズル４４ａ、４４ｂ、４４ｃに水素ガス等のパージガスを流通させることによって、第２のガス供給ノズル４４ａ、４４ｂ、４４ｃ内へのガスの侵入と内壁への膜付着を防止することができる。また同様に、エッチング（エッチングガス供給）中は原料ガス用の第１のガス供給ノズル４２ａ、４２ｂ、４２ｃにパージガスを流通させることによって第１のガス供給ノズル４２ａ、４２ｂ、４２ｃ内へのエッチングガスの侵入を防止できる。
【００２１】
次に一例として、本発明の一実施形態に係る基板処理装置１０を用いたＳｉ膜の選択エピタキシャル成長の具体的な工程の流れを図３に基づいて説明する。
【００２２】
（１）まず、原料ガスであるモノシラン（ＳｉＨ４）ガスを第１のガス供給管３０及び第１のガス供給ノズル４２ａ、４２ｂ、４２ｃを通じて処理室２４に供給する（成膜工程）。その際、パージガスである水素（Ｈ２）ガスを第２のガス供給管３２及び第２のガス供給ノズル４４ａ、４４ｂ、４４ｃを通じて処理室２４に供給する。
（２）次に、ガスの供給を止めて処理室２４内の排気を行う。
（３）続いてパージガスであるＨ２ガスを、第１のガス供給管及び第１のガス供給ノズル４２ａ、４２ｂ、４２ｃと、第２のガス供給管３２及び第２のガス供給ノズル４４ａ、４４ｂ、４４ｃと、の両方を通じて処理室２４に供給する（パージ工程）。
（４）その後、エッチングガスである塩素（Ｃｌ２）ガスを第２のガス供給管３２及び第２のガス供給ノズル４４ａ、４４ｂ、４４ｃを通じて処理室２４に供給する（エッチング工程）。その際にパージガスであるＨ２ガスを第１のガス供給管３０及び第１のガス供給ノズル４２ａ、４２ｂ、４２ｃを通じて処理室２４内に供給する。
（５）その後、ガスの供給を止めて処理室２４内の排気を行う。
（６）そして、パージガスであるＨ２ガスを第１のガス供給管３０及び第１のガス供給ノズル４２ａ、４２ｂ、４２ｃと、第２のガス供給管３２及び第２のガス供給ノズル４４ａ、４４ｂ、４４ｃと、の両方を通じて処理室２４に供給する（パージ工程）。
以上の（１）〜（６）の工程を１サイクルとし、これらの工程を繰り返してウェハａ上でのＳｉ膜の選択エピタキシャル成長を行うことで、成長速度とエッチング速度の両方を調整することが可能となるとともに、パーティクル発生を回避でき、良好なエッチング特性を得ることができる。
【産業上の利用可能性】
【００２３】
以上述べたように、本発明によれば、Ｓｉ又はＳｉＧｅの選択エピタキシャル成長の成長速度とエッチング速度の両方を調整することが可能となり、ノズルからのパーティクル発生を回避でき、良好なエッチング特性を得ることが可能となる基板処理装置を提供することが可能となる。
【図面の簡単な説明】
【００２４】
【図１】本発明の一実施形態に係る基板処理装置の構成を示す概要図である。
【図２】本発明の一実施形態に係る基板処理装置の処理炉の構成を示す縦断面図である。
【図３】本発明の一実施形態に係る基板処理装置を用いたＳｉ膜の選択エピタキシャル成長の具体的な工程の流れを示す工程説明図である。
【符号の説明】
【００２５】
１０  基板処理装置
１２  ウェハカセット
１４  移載機
１６  ボート
１８  処理炉
２０  真空排気系
２２  ヒータ
２４  処理室
２６  反応管
２７  排気口
２８  ガス排気管
３０  第１のガス供給管
３２  第２のガス供給管
３３ａ、３３ｂ  Ｏリング
３４  マニホールド
３５  リング状部
３６  シールキャップ
３７  円板状部
３８  回転機構
４０ａ、４０ｂ、４０ｃ  第１のガス供給口
４２ａ、４２ｂ、４２ｃ  第１のガス供給ノズル
４３ａ、４３ｂ、４３ｃ  第２のガス供給口
４４ａ、４４ｂ、４４ｃ  第２のガス供給ノズル
４６  原料ガス供給源
４８  パージガス供給源
５０  エッチングガス供給源
５２  第１のＭＦＣ
５４  第２のＭＦＣ
５６  第３のＭＦＣ
５８  第４のＭＦＣ
５９  真空ポンプ
６０  制御装置
６２  排気バルブ
６４  第１のバルブ
６６  第２のバルブ
６８  第３のバルブ
７０  第４のバルブ
７２  第５のバルブ
７４  第６のバルブ
【図１】
2008124181.tif 000003
【図２】
2008124181.tif 000004
【図３】
2008124181.tif 000005
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
Si含有ガスとCl2ガスとを少なくとも使用し、
前記Si含有ガスと前記Cl2ガスとを交互に繰り返して処理室内に供給して前記処理室内に収容された基板の表面に選択的にエピタキシャル膜を成長させる基板処理装置であって、
前記処理室内で前記基板を支持する基板支持部材と、
前記基板及び前記処理室内の雰囲気を加熱し、前記処理室の外部に設けられる加熱部材と、
前記処理室内に配置されるガス供給系と、
前記処理室に開口する排気口と、
を備え、
前記ガス供給系は、前記Si含有ガスを供給する第１のガス供給部材と、前記Cl2ガスを供給する前記第１のガス供給部材とは異なる第２のガス供給部材とを含み、
前記第1のガス供給部材及び前記第2のガス供給部材は、それぞれ前記Si含有ガス及び前記Cl2ガスを前記処理室内のそれぞれ異なる複数箇所へ別々に供給する複数のガス供給ノズルからなる基板処理装置。
【請求項２】
Si含有ガスとCl含有ガスとを少なくとも使用し、処理室内に収容された基板の表面に選択的にエピタキシャル膜を成長させる基板処理装置であって、
前記処理室内に配置され、前記処理室内のそれぞれ異なる複数の高さへ開口するガス供給孔を有する複数の第1のガス供給ノズル及び前記処理室内のそれぞれ異なる複数の高さへ開口するガス供給孔を有する複数の第2のガス供給ノズルを含むガス供給系と、
前記処理室に開口する排気口と、
少なくとも前記ガス供給系を制御する制御系と、
を備え、
前記制御系は、少なくとも前記Si含有ガスを前記複数の第1のガス供給ノズルから処理室内へ供給し、少なくとも前記Cl含有ガスを前記複数の第2のガス供給ノズルから処理室内へ供給するように前記ガス供給系を制御することを特徴とする基板処理装置。
【請求項３】
請求項１または請求項２に記載の基板処理装置であって、前記基板の表面に選択的に成長させるエピタキシャル膜はSi膜もしくはSiGe膜であって、前記Si含有ガスはSiH4、Si2H6、SiH2Cl2のいずれかであり、SiGe膜を成膜するときは前記Si含有ガスに加えてGeH4、GeCl4のいずれかのGe含有ガスを用いる基板処理装置。
【請求項４】
請求項１から請求項３のいずれかに記載の基板処理装置であって、前記Si含有ガスを供給する際は前記第2のガス供給部材にパージガスを供給し、前記Cl2ガスを供給する際は前記第1のガス供給部材にパージガスを供給する基板処理装置。
【請求項５】
少なくともSi含有ガスを前記処理室内のそれぞれ異なる複数箇所へ供給する複数の第1のガス供給ノズルと、少なくともCl含有ガスを前記処理室内のそれぞれ異なる複数箇所へ供給する複数の第２のガス供給ノズルを備える基板処理装置において、処理室内に収容された基板の表面に選択的にエピタキシャル膜を成長させる選択エピタキシャル膜成長方法であって、少なくとも、
前記複数の第1のガス供給ノズルを用いて少なくとも前記Si含有ガスを処理室内に供給する成膜工程と、
前記Si含有ガスの供給を止めて前記処理室内の雰囲気を排気する排気工程と、
前記複数の第1のガス供給ノズル及び前記複数の第2のガス供給ノズルを用いてパージガスを処理室内に供給するパージ工程と、
前記複数の第2のガス供給ノズルを用いて少なくともエッチングガスとしてCl含有ガスを処理室内に供給するエッチング工程と、
前記Cl含有ガスの供給を止めて前記処理室内の雰囲気を排気する排気工程と、
前記複数の第1のガス供給ノズル及び前記複数の第2のガス供給ノズルを用いてパージガスを処理室内に供給するパージ工程と、
を繰り返して所望の膜厚を成長させることを特徴とする選択エピタキシャル膜成長方法。
【手続補正２】
【補正対象書類名】明細書
【補正対象項目名】０００５
【補正方法】変更
【補正の内容】
【０００５】
上記課題を解決するため、本発明の特徴とするところは、Si含有ガスとCl2ガスとを少なくとも使用し、
前記Si含有ガスと前記Cl2ガスとを交互に繰り返して処理室内に供給して前記処理室内に収容された基板の表面に選択的にエピタキシャル膜を成長させる基板処理装置であって、
前記処理室内で前記基板を支持する基板支持部材と、
前記基板及び前記処理室内の雰囲気を加熱し、前記処理室の外部に設けられる加熱部材と、
前記処理室内に配置されるガス供給系と、
前記処理室に開口する排気口と、
を備え、
前記ガス供給系は、前記Si含有ガスを供給する第１のガス供給部材と、前記Cl2ガスを供給する前記第１のガス供給部材とは異なる第２のガス供給部材とを含み、
前記第1のガス供給部材及び前記第2のガス供給部材は、それぞれ前記Si含有ガス及び前記Cl2ガスを前記処理室内のそれぞれ異なる複数箇所へ別々に供給する複数のガス供給ノズルからなる基板処理装置にある。